(57)【要約】  【課題】  眼内挿入用レンズをスムーズかつ適正に変形させて眼内に送り出すことができる挿入器具を提供する。  【解決手段】  挿入器具１は、光学部２０ａと該光学部から曲線形状に延出した支持部２０ｂとを有する眼内挿入用レンズ２０が装填される本体２，３，４と、該レンズを本体内から眼内に押し出す押出し軸５とを有する。本体は、押出し軸よって押されたレンズが移動するレンズ移動空間Ｓ内に突出して、該支持部をガイドする突起部４ｅ，４ｄを有する。  【選択図】  図５
2006333980.tif 000002
【特許請求の範囲】
【請求項１】
光学部と該光学部から曲線形状に延出した支持部とを有する眼内挿入用レンズを眼内に挿入するための挿入器具であって、
前記レンズが装填される本体と、
該レンズを前記本体内から眼内に押し出す押出し軸とを有し、
前記本体は、前記押出し軸よって押された前記レンズが移動するレンズ移動空間内に突出して、前記支持部をガイドする突起部を有することを特徴とする眼内挿入用レンズの挿入器具。
【請求項２】
前記突起部は、前記レンズ移動空間のうち前記光学部が移動する光学部移動領域とは反対側の面で前記支持部をガイドすることを特徴とする請求項１に記載の眼内挿入用レンズの挿入器具。
【請求項３】
前記突起部は、前記光学部移動領域側の面で前記光学部をガイドすることを特徴とする請求項２に記載の眼内挿入用レンズの挿入器具。
【請求項４】
前記突起部のガイド面に、親水性高分子層が形成されていることを特徴とする請求項１から３のいずれか１つに記載の眼内挿入用レンズの挿入器具。
【発明の詳細な説明】
【技術分野】
【０００１】
本発明は、白内障で水晶体を摘出した後に水晶体の代わりに挿入されたり、屈折異常を矯正する等の目的で眼内に挿入されたりする眼内挿入用レンズを眼内に挿入するための挿入器具に関するものである。
【背景技術】
【０００２】
現在の白内障の手術では、眼球の前嚢の中心部を切除し、白濁した水晶体を超音波吸引装置によって除去した後、そこに人工の眼内挿入用レンズを配置する。レンズを眼内に配置する際には、該レンズの可撓性を利用し、折畳むなどして小さく変形させて小さな切開創から眼内へ挿入する術法が主流となっている。これにより、術後の乱視が防止される。
【０００３】
そして、手術においては、器具本体に装填されたレンズを押出し軸によって該器具本体内を移動させながら小さく変形させ、切開創に差し込まれた挿入筒の先端開口からレンズを眼内に押し出す挿入器具が多く用いられている。このような挿入器具は、白内障の手術だけではなく、視力補正治療等での眼内挿入用レンズの挿入手術においても用いられる。
【０００４】
眼内挿入用レンズの挿入器具は、レンズとは別に保管され、手術直前にレンズが装填されるタイプと、挿入器具の工場出荷時にレンズが装填されており、レンズとともに保管されるいわゆるプリロードタイプとがある（特許文献１参照）。
【０００５】
一方、眼内挿入用レンズは、水晶体の役割を果たす光学部と、該光学部を眼内で支えるための支持部とからなり、支持部としては、光学部の両端から曲線形状に延出するいわゆるループ状支持部がある。
【特許文献１】２００１−１０４３４７号公報
【発明の開示】
【発明が解決しようとする課題】
【０００６】
しかしながら、上記のような挿入器具においてループ状支持部を有するレンズを移動させながら小さく変形させる際に、ループ状支持部が光学部と挿入器具内壁との間に挟まったり、支持部同士が絡み合ったりすると、スムーズかつ適正なレンズの変形の妨げになる。
【０００７】
また、光学部も、特にアクリル酸エステル系等の粘着性が高い樹脂やエラストマーが含まれている場合に、挿入器具内壁との動摩擦抵抗が大きくなるために、捩れたり詰まったりする可能性がある。
【０００８】
そこで本発明は、眼内挿入用レンズをスムーズかつ適正に変形させて眼内に送り出すことができるようにした挿入器具を提供することを目的とする。
【課題を解決するための手段】
【０００９】
一つの側面としての本発明の眼内挿入用レンズの挿入器具は、光学部と該光学部から曲線形状に延出した支持部とを有する眼内挿入用レンズを眼内に挿入するための挿入器具であって、レンズが装填される本体と、該レンズを本体内から眼内に押し出す押出し軸とを有する。そして、本体は、押出し軸よって押されたレンズが移動するレンズ移動空間内に突出して、該支持部をガイドする突起部を有する。
【００１０】
ここで、突起部は、レンズ移動空間のうち光学部が移動する光学部移動領域とは反対側の面で支持部をガイドするようにしてもよい。
【００１１】
また、上記突起部のうち光学部移動領域側の面で光学部をガイドするようにしてもよい。
【００１２】
さらに、突起部のガイド面に、親水性高分子層を形成してもよい。
【発明の効果】
【００１３】
本発明によれば、眼内挿入用レンズを眼内へと送り出す際に、レンズの支持部を光学部とは独立してガイドすることができるので、光学部と挿入器具内壁との間に支持部が挟まったり、支持部同士が絡み合ったりすることが防止され、レンズをスムーズかつ適正に小さく変形させる等して眼内に挿入することができる。
【００１４】
特に、突起部のうち光学部移動領域とは反対側の面で支持部をガイドするようにすれば、該突起部によって光学部の変形が妨げられることも防止でき、よりスムーズかつ適正にレンズを小さく変形させることができる。
【００１５】
また、突起部のうち光学部移動領域側の面で光学部をガイドするようにすれば、光学部の不適切な変形を防止できる。
【００１６】
さらに、突起部のガイド面に親水性高分子層を形成すれば、該ガイド面に対して支持部（や光学部）をよりスムーズに移動させることができる。
【発明を実施するための最良の形態】
【００１７】
以下、本発明の実施例について図面を参照しながら説明する。
【００１８】
図１（Ａ），（Ｂ）、図２および図４には、本発明の実施例である眼内挿入用レンズの挿入器具を示している。図１（Ａ），（Ｂ）は、該挿入器具を異なる方向から見た図である。また、図２には、該挿入器具における後述するレンズ装填部の周辺を拡大して示している。さらに、図４には、図１（Ｂ）におけるＩＶ−ＩＶ線で切断した断面を示している。
【００１９】
図１（Ａ），（Ｂ）に示すように、挿入器具１は、筒体２と、該筒体２の前端部に取り付けられたレンズ装填機構３と、該レンズ装填機構３の底面部分から前方に延びるノズル（挿入筒）４と、筒体２の後端開口から筒体２内に挿入された押出し軸５とを有する。なお、筒体２、レンズ装填機構３およびノズル４により請求項にいう本体が構成される。押出し軸５は、筒体２、レンズ装填機構３およびノズル４内で軸方向に移動可能である。
【００２０】
ここで、本実施例では、筒体２、ノズル４および押出し軸５の長手方向に沿った軸Ｌを該挿入器具１の軸とし、挿入器具１におけるノズル４側を前側、押出し軸５側を後側として説明する。また、図１（Ａ）に示された面を該挿入器具の上面とし、その反対側の面（図１の紙面裏側の面）を該挿入器具の下面又は底面とする。また、図１（Ａ）の上面図において、軸Ｌに直交する方向を左右方向とする。図１（Ｂ）に示された面を該挿入器具の側面という。さらに、以下の説明において、軸方向視とは、軸Ｌの方向（軸方向）の一方から見ることを意味する。例えば、図４は、軸方向視での断面を示している。
【００２１】
レンズ装填部３には、眼内挿入用レンズ（ＩＯＬ：以下、単にレンズという）２０が装填される。このレンズ２０は、白内障治療や視力補正等、様々な目的のための眼内に挿入される。レンズ２０は、人間の眼の水晶体に代わって眼球内に配置される光学部２０ａと、該光学部２０ａの周方向２箇所（径方向両側）から曲線形状に延出し、眼球内において光学部２０ａを支える支持部２０ｂとを有する。曲線形状とは、光学部２０に固定された基端部から曲線を描くように延び、先端が光学部２０から離れている形状を全て含み、その太さ、断面形状および材質は問わない。
【００２２】
光学部２０ａは、可撓性および復元性を有する材料、例えば、シリコーンエラストマー、アクリル酸エステルとメタクリル酸エステルとの共重合樹脂、コラマー、水溶性ゲルなどの材料で形成されている。また、支持部２０ｂは、ポリイミドやアクリル樹脂等、柔軟性と形状記憶性を持つ材料により形成されている。
【００２３】
レンズ装填機構３は、図４に詳しく示すように、筒体２の前端部に固定されたベース部材３１と、該ベース部材３１の開口部３１ａ内における左右に形成された保持突起部３１ｂの上方部分に装着される保持枠３２と、該保持枠３２の開口部３２ａ内に上下方向に移動可能に配置された押下部材３３とにより構成されている。ベース部材３１の開口部３１ａのうち保持突起部３１ｂよりも下側の部分には、図１（Ｂ）に示したノズル４の底面部４ｂが該ベース部材３１の開口部３１ａの底面側開口を覆うように取り付けられている。該底面部４ｂは、図４に示すように、軸方向視において、略円弧形状に形成されている。
【００２４】
なお、図１（Ｂ）に示すように、ノズル４における底面部４ｂの前端部には、レンズ２０を眼内に射出する先細り中空形状の挿入筒部４ａが形成されており、該挿入筒部４ａの先端には、レンズ射出口としての挿入口４ｃが形成されている。
【００２５】
ここで、本実施例では、レンズ装填機構３を構成する各部材を、透明、着色透明又は半透明（以下、これらをまとめて透明という）の材料により製作している。透明としなければ、後述するように挿入器具１内に注入される粘弾性物質の注入量を外部から見て確認することができず、またレンズ２０の挿入器具内での挙動を確認することができないからである。透明な材料としては、プラスティックが好ましく、特に透明性、成形性、安定性、経済的観点からは、ポリプロピレン或いはポリエチレンなどのオレフィン系樹脂や、ポリカーボネート樹脂が好ましい。
【００２６】
ベース部材３１に設けられた左右の保持突起部３１ｂは、該挿入器具１の工場での組み立て工程においてレンズ２０が装填される第１の装填部を構成する。保持突起部３１ｂは、支持部保持面３１ｃと、該支持部保持面３１ｃから一段下がった光学部保持面３１ｄとを有する。筒体２に固定されたベース部材３１に対して保持枠３２が組み付けられる前に、ベース部材３１の開口部（装填口）３１ａの上方からレンズ２０が装填され、左右の光学部保持面３１ｄに光学部２０ａの辺縁部が載置される。各光学部保持面３１ｄは、図２に示すように、上面視において、光学部２０ａの外周形状に沿った形状に形成されている。これにより、光学部２０ａ（つまりはレンズ２０）が位置決めされる。また、各支持部保持面３１ｃには、各支持部２０ｂの先端が載置される。
【００２７】
この状態で、保持枠３２をベース部材３１の開口部３１ａ内に上方から挿入すると、該保持枠３２の下面３２ｂと支持部保持面３１ｃとの間に支持部２０ｂの先端が軽く挟み込まれる。保持枠３２は、不図示の係合機構によってベース部材３１に対して係止される。したがって、レンズ２０は、光学部２０ａにこれを変形させるような応力が加わらない状態で、かつ装填された位置から容易に動かないように挿入器具１に装填される。これにより、挿入器具１に振動が加わったり、後述するように挿入器具１内に粘弾性物質が注入された場合に浮力によってレンズ２０が移動したりすることを防止できる。
【００２８】
なお、この状態では、図４に二点鎖線で示すように、押出し軸５は、その前方への延長線がレンズ２０の光学部２０ａよりも上方を通る位置にある。したがって、押出し軸５を前進させても、レンズ２０を押し出すことはできない。
【００２９】
このようにレンズ２０を装填した後、押下部材３３を保持枠３２の開口部３２ａ内に上方から挿入する。押下部材３３の左右壁部の内面には、図４に示すように上下方向に延びる円弧形状の突起部３２ｃが形成されている。一方、押下部材３３の左右外面の下部には凹部３３ａが形成されている。工場組み立て時にレンズ２０を保持突起部３１ｂ上に装填した状態では、凹部３３ａが突起部３２ｃに係合する位置（以下、上位置という）まで押下部材３３を押し下げる。
【００３０】
このとき、押下部材３３の上下方向中間部に形成されたフランジ部３３ｃが、保持枠３２の左右の内壁上部に形成された係止爪３２ｄの傾斜面に当接する。これにより、押下部材３３にある程度強い押し下げ力を加え、該傾斜面のカム作用によって保持枠３２の左右壁部が弾性変形し、該壁部間の間隔が広がらない限り、押下部材３３を上位置に保持することができる。なお、押下部材３３は、レンズ２０を装填する装填口のカバーとしての機能も果たす。
【００３１】
また、押下部材３３の下面中央には突起部３３ｄが、その左右には、突起部３３ｄよりも若干下方に延びた突起部３３ｅが形成されている。押下部材３３が上位置で保持されている状態では、これらの突起部３３ｄ，３３ｅは、レンズ２０の光学部２０ａの上方に離れて位置する。したがって、前述したように、レンズ２０は、光学部２０ａに応力が加わらない状態で保持される。第１の装填部である保持突起部３１ｂ上に装填されたレンズ２０の下方には、底面側がノズル４の底面部４ｂによって覆われたレンズ移動空間Ｓが形成されている。
【００３２】
そして、このレンズ移動空間Ｓを上側の領域Ｓ１と下側の領域Ｓ２とに分けるように、底面部４ｂの左右上端には、レンズ移動空間Ｓの内方に向かって水平方向に延出（突出）するガイド突起部４ｅ，４ｄが形成されている。
【００３３】
これらのガイド突起部４ｅ，４ｄは、図２に示すように、挿入器具１の軸方向、つまりは後述するようにレンズ２０が押出し軸５によって挿入筒部４ａに向かって押されて移動する方向に連続的に、挿入筒部４ａへの入口付近（導入領域）まで延びている。
【００３４】
このようにして光学部２０ａに応力が加わらない状態でレンズ２０が保持突起部３１ｂ上に装填された（プリロードされた）挿入器具１は、工場出荷前に滅菌処理が施された後、出荷される。光学部２０ａに応力が加わらないので、病院等で長時間保管することも可能である。
【００３５】
そして、レンズ２０を眼内に挿入する手術を行う際（直前）に、図５に示すように、押下部材３３に押し下げ力を加え、係止爪３２ｄの傾斜面のカム作用によって保持枠３２の左右の壁部を弾性変形させる。これにより、両壁部間の間隔が広がり、押下部材３３のフランジ部３３ｃの係止爪３２ｄに対する係合が外れる。このため、押下部材３３を上位置から下動させることができる。
【００３６】
押下部材３３が下動すると、突起部３３ｄ，３３ｅが光学部２０ａの上面に当接してこれを下側に向かって凸形状となるように変形させる。また、光学部２０ａに加わる押し下げ力によって、保持枠３２の下面３２ｂと支持部保持面３１ｃとの間に挟み込まれていた支持部２０ｂの先端がこの間から引き抜かれる。これにより、光学部２０ａは、左右の保持突起部３１ｂの間および左右のガイド突起部４ｄ，４ｅの間を通過して、該ガイド突起部４ｄ，４ｅよりも下側の領域Ｓ２内に移動し、底面部４ｂの内面に沿うように（下側に向かって凸の形状になるように）変形する。
【００３７】
一方、保持枠３２の下面３２ｂと支持部保持面３１ｃとの間から外れた両支持部２０ｂの先端は、下方に移動して、ガイド突起部４ｅ，４ｄの上面４ｅ１，４ｄ１上に載る。つまり、光学部２０ａは、レンズ移動空間Ｓのうちガイド突起部４ｄ，４ｅよりも下方の領域（光学部移動領域）Ｓ２に配置され、両支持部２０ｂの先端はガイド突起部４ｅ，４ｄの上面４ｅ１，４ｄ１よりも上側の領域（支持部移動領域）Ｓ１に配置される。以下、この状態でレンズ２０が位置する箇所を第２の装填部という。
【００３８】
レンズ２０が第２の装填部に装填されると、押下部材３３のフランジ部３３ｃの下面が保持枠３２の内側に形成された段部３２ｅの上面に当接する。このため、これ以上の押下部材３３の下動が阻止される（以下、この押下部材３３の位置を下位置という）。また、この状態で、押下部材３３の左右外面に形成された、上下方向に延びる円弧形状の突起部３３ｂが、保持枠３２の内側左右の突起部３２ｃの下側部分に係合する。これにより、押下部材３３の下位置からの上動が阻止される。
【００３９】
このように、光学部２０ａと支持部２０ｂ（の先端）とがガイド突起部４ｅ，４ｄによって分けられた状態で第２の装填部に装填されたレンズ２０は、図１（Ｂ）のＶ−Ｖ線での断面図である図５に示すように、光学部２０ａと押出し軸５との上下方向位置が略一致するので、押出し軸５を前進させることによって、その前端部が光学部２０ａに係合し、レンズ２０全体が前方に移動する。
【００４０】
このとき、図３に示すように、支持部２０ｂは、ガイド突起部４ｅ，４ｄの上面４ｅ１，４ｄ１に対して摺動し、光学部２０ａから独立してガイドされる。また、光学部２０ａも、ガイド突起部４ｅ，４ｄの下面４ｅ２，４ｄ２に対してその外周面が摺動することによってガイドされる。したがって、支持部２０ｂが光学部２０ａと底面部４ｂの内面との間に挟まったり、支持部２０ｂ同士が絡み合ったりすることなく、レンズ２０を挿入筒部４ａに向かって移動させることができる。
【００４１】
なお、図３中の二点鎖線２０ａ′，２０ｂ′はそれぞれ、第２の装填部から挿入筒部４ａに向かって押し出されている途中の光学部および後側の支持部の位置を示している。支持部２０ｂ′は、ガイド突起部４ｅの上面４ｅ１によってガイドされている。
【００４２】
挿入筒部４ａは、図７にも示すように、その内径が前方にいくほど急激に小さくなっており、この挿入筒部４ａ内においてレンズ２０を設計通りに小さく変形させる（折り畳む）ためには、挿入筒部４ａへの導入領域において、支持部２０ｂを光学部２０ａに対して適切な位置に移動又は保持しておく必要がある。したがって、第２の装填部から挿入筒部４ａへの導入領域まで支持部２０ｂ（の先端）を光学部２０ａの移動領域Ｓ２とは異なる（言い換えれば、ガイド突起部４ｅ，４ｄで仕切られた）領域Ｓ１内でガイドすることにより、レンズ２０をスムーズに挿入筒部４ａ内に導くことができ、この結果、眼内に挿入するために適正な小形状にレンズ２０を挿入筒部４ａ内で折り畳むことができる。
【００４３】
ここで、レンズ移動空間Ｓを仕切るように設けられたガイド突起部４ｅ，４ｄは、ノズル４と一体成形してもよいし、ノズル４と同質の材料で作成したガイド突起部４ｅ，４ｄを熱融着、液体溶着によってノズル４に取り付けるようにしてもよい。
【００４４】
ガイド突起部４ｅ，４ｄの軸方向長さは、第２の装填部からノズル４の挿入筒部４ａの手前までの長さとすることが、安定性が良く好ましい。ガイド突起部４ｅ，４ｄの厚さは任意に選択可能であるが、厚すぎると支持部２０ｂが上のガイド突起部４ｅ，４ｄに乗りづらく、薄すぎると強度面で弱く、支持部２０ｂが下の領域Ｓ２に移動する可能性がある。このため、０．１〜2 mm程度であることが好ましい。
【００４５】
ここで、レンズ２０を第２の装填部から眼内に押し出していく際には、レンズ２０の挿入器具１内での滑りを良くするために、レンズ移動空間Ｓ内に粘弾性物質を注入する必要がある。このため、本実施例の挿入器具１では、図４に示すように、ノズル４の底面部４ｂに、粘弾性物質の注入口４ｆが形成されている。粘弾性物質としては、一般に親水性高分子が使用され、特に眼科分野ではヒアルロン酸（ナトリウム）水溶液が多く用いられている。このため、本実施例でも、ヒアルロン酸（ナトリウム）水溶液を用いる。
【００４６】
また、粘弾性物質の注入量は、レンズが粘弾性物質で覆われる量であれば特に制限はないが、一般的には、０．１ｍｌ（ミリリットル）〜０．３ｍｌが好ましい。
【００４７】
なお、図４に示した注入口４ｆの位置（軸方向位置）は、図１（Ｂ）に示した断面位置であるＩＶ−ＩＶ線の位置（図４において断面位置が変わる上下方向位置を一点鎖線Ｌ′で示している）から分かるように、第１の装填部から下方、すなわち軸方向に対して直交する方向に設けられた第２の装填部よりも前方であって、挿入筒部４ａよりも後方の領域内である。但し、本発明において、注入口４ｆの軸方向位置はこれに限らず、また注入口４ｆの数も１つには限られない。
【００４８】
また、本実施例では、挿入器具１の底面（ノズル４の底面部４ｂ）に注入口４ｆを設けた場合について説明したが、それ以外であっても、装填口が設けられた面が向く方向とは異なる方向を向いた面であればよい。例えば、図４に二点鎖線で示すように、挿入器具１の側面であってもよいし、底面と側面の両方等に設けてもよい。
【００４９】
なお、図６には、この種の挿入器具の代表的な軸方向視形状を示している。６０は挿入器具の本体であり、７０は該本体の前部に設けられたノズル（挿入筒）である。図中の一点鎖線より左側には本体６０の軸方向視形状が多角形である場合、右側には本実施例のように一部に円弧形状を含む場合を示している。この図において、上方Ｕを向いた面６１に装填口６２が設けられている場合、該面６１が向く方向Ｕと異なる方向を向いた面とは、面６３〜６９のすべてを指す。図示しないが、本体の軸方向視形状が円筒面のように面としては１つのみから形成されている場合は、装填口が設けられた部分が向く方向と異なる方向を向いた部分と言い換えればよい。
【００５０】
そして上記のように注入口４ｆを挿入器具１（ノズル４）の底面に設けたことにより、装填口と同様に挿入器具１の上面に設ける場合に比べて、粘弾性物質の注入量を確認し易くなる。すなわち、挿入器具１の上面側には、レンズ装填機構３を構成する肉厚の部材が複数組み合わさって配置されているので、上面視では粘弾性物質８の注入量を確認することはきわめて困難である。このため、注入と注入量の確認、すなわち挿入器具１の上下反転を繰り返す必要がある等、迅速な作業が妨げられる。
【００５１】
これに対し、本実施例では、図７に示すように、挿入器具１におけるレンズ装填機構３から挿入口４ｃまでの部分の底面側には、透明なノズル４の底面（底面部４ｂおよび挿入筒部４ａ）しかない。このため、注入口４ｆから注入した粘弾性物質８を明瞭に見ることができる。さらに言えば、注入口４ｆからの粘弾性物質の注入は、挿入器具１の底面を上にして持ち、注入口４ｆに粘弾性物質を入れた注射器の針（図示せず）を挿入して行うのが一般的である。したがって、本実施例によれば、粘弾性物質８の注入量を確認しながら注入作業を行うことができ、迅速に注入作業を行うことができる。
【００５２】
また、注入口４ｆの径は、注入された粘弾性物質８が、その表面張力によって漏れ出ない大きさとする必要がある。例えば、粘弾性物質を注入する針の大きさ程度が好ましい。具体的には、０．１ｍｍ〜２．０ｍｍ程度が好ましい。０．１ｍｍ未満であると、一般的な注射針の太さより小さくなってしまい、２．０ｍｍより大きいと、この注入口４ｆから粘弾性物質が漏れ出てしまうことがある。
【００５３】
また、本実施例では、挿入器具１内において、レンズ２０が接触又は移動する領域の内面（例えば、第１の装填部の表面、ノズル４の底面部４ｂ（第２の装填部）および挿入筒部４ａの先端の内面、さらにはガイド突起部４ｅ，４ｄの上下面４ｅ１，４ｅ２，４ｅ２，４ｄ２）に親水性高分子膜（層）を形成している。具体的には、ヒアルロン酸水溶液およびヒアルロン酸ナトリウム水溶液のうち少なくとも一方を含む被膜を形成する。これにより、レンズ２０の挿入器具１内での滑性が向上し、よりスムーズにレンズ２０を眼内へ送り出すことができる。特に、挿入器具１内に注入される粘弾性物質と同じ成分であるヒアルロン酸（ナトリウム）水溶液やヒアルロン酸（ナトリウム）水溶液で被膜を形成することにより、被膜が容易に解け出し、より一層、レンズ２０の滑性を向上させることができる。
【００５４】
その他、使用される親水性（水溶性）高分子の例としては、合成高分子では、ポリエチレングリコール（ＰＥＧ）、ポリプロピレングリコール（ＰＰＧ）、ポリアクリル酸ナトリウム（ＰＡＡ）、ポリアクリルアミド（ＰＡＡｍ）、ポリスチレンスルホン酸ナトリウム（ＰＳＳＮａ）、ポリビニルピロリドン（ＰＶＰ）、ポリビニルアルコール（ＰＶＡ）、ポリエチレンイミン（ＰＥＩ）、カルボキシメチルセルロース（ＣＭＣ）、デキストラン硫酸ナトリウム、ヒドロキシエチル化澱粉（ＨＥＰＥＳ）、ポリ燐酸が挙げられる。
【００５５】
また、天然高分子で、多糖類では、ヒアルロン酸及び／又はヒアルロン酸ナトリウム（ＨＡ）、アルギン酸ナトリウム、デキストラン、デキストリン、ヘパリン、キトサン、コンドロイチン硫酸ナトリウム、多糖類以外では、ポリペプチド、ポリ核酸などが挙げられる。
【００５６】
これらのうち、生体適合性、得られる分子量の多様性などの観点から多糖類を用いるのが好ましい。
【００５７】
また、被膜形成方法としては、水溶液へのディッピングなどのバルク溶液とカートリッジ表面との接触、水溶液のスプレー、水溶液或いはゲルの刷毛塗りなどによる塗布などいずれも使用可能である。使用する溶媒の水溶性高分子中、濃度としては０．１重量％〜６０重量％までがディッピングやスプレーにての皮膜形成には好ましいが、ゲルを刷毛塗りなどで塗布する場合は５０重量％以下のものを使用することが好ましい。
【００５８】
なお、ディッピングやスプレーに使用する水溶液は、水溶性高分子を単に溶解させた水溶液が好ましいが、ｐＨ調整のために水酸化ナトリウムや炭酸ナトリウム、リン酸緩衝溶液などの塩類や乾燥促進や結晶化度制御のためにエタノールなどの有機溶剤を添加してもよい。
また、水溶性高分子の分子量は任意であるが、被膜形成時の利便性からの点から、多くとも溶液粘性が１万ｍＰｓとなるように溶液濃度に合わせて分子量を調節することが好ましい。それ以上では、粘性が高すぎて、皮膜形成操作が煩雑となる。
【００５９】
なお、本発明の挿入器具に装填されるレンズとしては、いかなる構成のものでもよく、光学部と支持部とが別材料によって構成される３ピースタイプのレンズでも、光学部と支持部とが同一材料によって構成される1ピースタイプのレンズでもよい。
【００６０】
また、上記実施例では、テーパ形状のノズル４を用いた挿入器具について説明したが、レンズ装填機構内でレンズを小さく変形させ、ストレートなノズルによって眼内に送り出すようにしてもよい。
【００６１】
さらに、上記実施例では、第１の装填部にレンズがプリロードされ、該レンズを第２の装填部に装填（移動および変形）した後、眼内に押し出すタイプの挿入器具について説明したが、本発明はこのようなタイプに限らず、様々なタイプの挿入器具に適用することができる。例えば、１つの装填部に装填されたレンズをそのまま押し出すタイプの挿入器具（この場合、レンズ装填機構は有さず、代わりに装填部に蓋をするカバーが設けられる）や、手術直前に挿入器具とは別に保管されていたレンズ又はレンズパッケージを挿入器具に装填するタイプのものでもよい。
【図面の簡単な説明】
【００６２】
【図１】本発明の実施例である挿入器具の上面図（Ａ）および側面図（Ｂ）。
【図２】実施例の挿入器具のレンズ装填部の拡大上面図（レンズ装填状態）。
【図３】実施例の挿入器具のレンズ装填部の拡大上面図（レンズ押出し状態）。
【図４】実施例の挿入器具の図１（Ｂ）におけるＩＶ−ＩＶ線での断面図。
【図５】実施例の挿入器具の図１（Ｂ）におけるＶ−Ｖ線での断面図。
【図６】実施例の挿入器具のノズル部分の底面図。
【図７】本体の面の説明図。
【符号の説明】
【００６３】
１  装入器具
２  筒体
３  レンズ装填機構
４  ノズル
４ａ  挿入筒部
４ｂ  底面部
４ｃ  挿入口
４ｄ，４ｅ  ガイド突起部
４ｆ  注入口
５  押出し軸
２０  眼内挿入用レンズ
２０ａ  光学部
２０ｂ  支持部
３１  ベース部材
３１ａ  開口部（装填口）
【図６】
2006333980.tif 000003
【図１】
2006333980.tif 000004
【図２】
2006333980.tif 000005
【図３】
2006333980.tif 000006
【図４】
2006333980.tif 000007
【図５】
2006333980.tif 000008
【図７】
2006333980.tif 000009